(57)【要約】【課題】ゴト部材を使用した不正行為を確実に防止できるとともに、必要時に開閉部材を容易に開放状態にすることができ、利便性を高め得るパチンコ遊技機を提供する。【解決手段】パチンコ遊技機は、遊技盤５の遊技領域の特定個所に開閉部材２５が設けられ、遊技中に所定の条件が成立したとき開閉部材が開いて、所定数の遊技球を払い出す入賞の機会が増加するように構成されている。遊技領域の開閉部材近傍に設けられた開閉部材の開動作を阻止するための開放阻止部材４１と、開放阻止部材が開閉部材の開動作を阻止する阻止位置とその上方で開閉部材の開動作を許容する待機位置との間で移動するように駆動する駆動手段４４と、開閉部材の開動作に伴って開放阻止部材が待機位置に移動し、開閉部材の閉動作に伴って開閉阻止部材が阻止位置に移動するように駆動手段を制御する制御手段とを備える。【選択図】図４
2008295676.tif 000002
【特許請求の範囲】
【請求項１】
遊技盤の遊技領域の特定個所に開閉部材が設けられ、遊技中に所定の条件が成立したときこの開閉部材が開いて、所定数の遊技球を払い出す入賞の機会が増加するように構成されたパチンコ遊技機において、
上記遊技領域の開閉部材近傍に設けられた開閉部材の開動作を阻止するための開放阻止部材と、
この開放阻止部材が、開閉部材の開動作を阻止する阻止位置と、この阻止位置よりも上方で開閉部材の開動作を許容する待機位置との間で移動するように駆動する駆動手段と、
上記開閉部材の開動作に伴って開放阻止部材が待機位置に移動し、上記開閉部材の閉動作に伴って開閉阻止部材が阻止位置に移動するように上記駆動手段を制御する制御手段とを備えたことを特徴とするパチンコ遊技機。
【請求項２】
上記開閉部材は、遊技盤の遊技領域に設けられた大入賞口を開閉するものであり、この大入賞口の開閉部材は、上記所定の条件として遊技中に特定の領域を遊技球が通過したことに基づいて行われる抽選で大当たりになったときに開いて遊技球が大入賞口に入賞し易くなっている請求項１記載のパチンコ遊技機。
【請求項３】
上記遊技盤の遊技領域には、内部に遊技球の進入に基づいて遊技者にとって有利な特別遊技状態を発生させる特別入賞領域を有する入賞役物装置が設けられており、
上記開閉部材は、この入賞役物装置の内部に遊技球を導く導入口の近傍に設けられており、この開閉部材が開いたときには遊技球が入賞役物装置の内部に進入し易くなるように構成されている請求項１記載のパチンコ遊技機。
【請求項４】
上記遊技盤の遊技領域には上記開閉部材の上側に遊技盤の表面から突出した突出部が設けられており、この突出部には上記開放阻止部材の待機位置として開放阻止部材を収容する収容空間が形成されている請求項２記載のパチンコ遊技機。
【請求項５】
上記遊技盤の遊技領域には、図柄の変動などの遊技演出を表示する演出表示部を有する中央役物装置が設けられているとともに、この中央役物装置の下側に始動入賞装置が設けられ、この始動入賞装置に遊技球が入ったとき抽選を行い、その抽選結果に基づいて上記演出表示部で遊技演出を行うように構成されており、
上記中央役物装置は、遊技盤の表面よりも所定寸法突出して取り付けられ、この中央役物装置の外側を遊技球が落下するようになっており、
上記大入賞口は、上記始動入賞装置の下側に設けられており、上記開放阻止部材は、この始動入賞装置と大入賞口との間で上下方向に移動するように設けられている請求項４記載のパチンコ遊技機。
【請求項６】
上記突出部は、上記始動入賞装置のパネル部材であり、この始動入賞装置は、パネル部材によって構成された始動入賞口と、この始動入賞口への遊技球の入賞難易度を変更する可動部材とを有している請求項５記載のパチンコ遊技機。
【請求項７】
遊技盤の遊技領域の特定個所に開閉部材が設けられ、遊技中に所定の条件が成立したときこの開閉部材が開いて、所定数の遊技球を払い出す入賞の機会が増加するように構成されたパチンコ遊技機において、
上記開閉部材に対応して設けられた第２の開閉部材と、
この第２の開閉部材が、対応する開閉部材と相反する方向に開閉動作をするように駆動する駆動手段と、
上記所定の条件が成立したとき第２の開閉部材が遊技球の入賞に影響しない開位置に移動し、上記所定の条件が成立しないときは第２の開閉部材が遊技球の入賞を阻止する閉位置に居続けるように上記駆動手段を制御する制御手段とを備えたことを特徴とするパチンコ遊技機。
【発明の詳細な説明】
【技術分野】
【０００１】
本発明は、大入賞口などを開閉する開閉部材を備えたパチンコ遊技機に関し、特に、不正に開閉部材を開けて遊技球の払い出しを受ける不正行為の防止対策に係わる。
【背景技術】
【０００２】
従来、パチンコ遊技機は、遊技盤の遊技領域の特定個所に開閉部材が設けられ、遊技中に所定の条件が成立したときこの開閉部材が開いて、所定数の遊技球を払い出す入賞の機会が増加するように構成されている。例えば、第１種のパチンコ遊技機（通称デジパチという）の場合、遊技盤の遊技領域の中央部に、図柄を変動表示する図柄変動装置が設けられ、この図柄変動装置の下側に始動入賞口及び大入賞口が上下一列に並んで設けられているとともに、この大入賞口を開閉する開閉部材が設けられている。そして、始動入賞口に遊技球が入ったとき、入賞として所定数の遊技球を払い出すとともに、抽選を行い、その抽選に基づいて図柄変動装置による図柄の変動を開始し、抽選結果を図柄変動装置の変動停止時の図柄で表示する。特に、抽選で大当たりになると、大入賞口の開閉部材が開いて、大入賞口に遊技球が入り易くなり、入賞回数が増加して大量の遊技球を獲得できるようになっている。
【０００３】
ところで、このようなパチンコ遊技機においては、開閉部材を開けた状態にすると大量の遊技球を獲得できることから、筐体の上受け皿の上部やガラス扉の下部の隙間などから針金やピアノ線（以下、ゴト部材という）を挿入して遊技盤の表面（以下、単に遊技盤面ともいう）にまで侵入させ、このゴト部材の先端を開閉部材に引っ掛けてゴト部材を手前側に引くことにより、不正に開閉部材を開ける不正行為が行われる虞がある。この不正行為を防止するための対応策としては、例えば特許文献１に開示されているように、裏面側に阻止突起を有する開閉阻止部材を開閉部材の側方近傍に配置し、この開閉部材により不正な開閉部材の開動作を阻止するようにしたものが知られている。また、特許文献２には、開閉部材を駆動する駆動装置の近傍に、駆動装置による開閉部材の開閉動作を許容するとともに、開閉部材に不正行為に伴って応力が加えられた場合に開閉部材が開くのを阻止する開閉規制機構を設けることが開示されている。
【特許文献１】特開２００３−３１０９７２号公報
【特許文献２】特開２００５−３２３７５６号公報
【発明の開示】
【発明が解決しようとする課題】
【０００４】
しかし、上記従来公知の防止対策のうち、前者のものでは、開閉阻止部材に対しても、同様にゴト部材を遊技盤面にまで侵入させ、ゴト部材の先端を引っ掛けて阻止状態を解除した上で、別のゴト部材によって開閉部材を開けることにより、不正行為を行うことが可能であり、不正行為の防止対策としては不十分である。
【０００５】
また、後者のものでは、開閉規制機構が外部から見えないことから、ゴト部材を使用した不正行為を未然に防止することができない。また、店員による補償行為など、大当たり以外で大入賞口の開閉部材を開ける必要があるときに開放状態にし難くなるという問題もある。
【０００６】
本発明はかかる諸点に鑑みてなされたものであり、その課題とするところは、不正な開閉部材の開動作を阻止するための開放阻止部材又はこれに代わる部材を遊技盤面上に適宜配置することにより、ゴト部材を使用した不正行為を確実に防止できるとともに、必要時に開閉部材を容易に開放状態にすることができ、利便性を高め得るパチンコ遊技機を提供せんとするものである。
【課題を解決するための手段】
【０００７】
上記の課題を解決するため、請求項１に係る発明は、遊技盤の遊技領域の特定個所に開閉部材が設けられ、遊技中に所定の条件が成立したときこの開閉部材が開いて、所定数の遊技球を払い出す入賞の機会が増加するように構成されたパチンコ遊技機において、上記遊技領域の開閉部材近傍に設けられた開閉部材の開動作を阻止するための開放阻止部材と、この開放阻止部材が、開閉部材の開動作を阻止する阻止位置と、この阻止位置よりも上方で開閉部材の開動作を許容する待機位置との間で移動するように駆動する駆動手段と、上記開閉部材の開動作に伴って開放阻止部材が待機位置に移動し、上記開閉部材の閉動作に伴って開閉阻止部材が阻止位置に移動するように上記駆動手段を制御する制御手段とを備える構成にする。
【０００８】
この構成では、開閉部材を不正に開けて入賞の機会を増加させるとき、開閉部材の開動作を阻止するための開放阻止部材が、その阻止位置とその位置よりも上方の待機位置との間を移動するように設けられているため、この開放阻止部材を開放するために開放阻止部材ないし開閉部材の上方からゴト部材を遊技盤面にまで侵入させ、ゴト部材の先端を開放阻止部材に引っ掛けて待機位置寄りに移動させる必要がある。このようなゴト行為を行う場合には、パチンコ遊技機の筐体上部という目立つ位置に穴を開け、更に立ち上がらなければならないなど、目立つことになるため、ゴト行為が困難なものとなり、その防止化を図ることができる。しかも、上記開放阻止部材は、遊技盤面上に設けられているため、店員による補償行為などで開閉部材を開ける必要があるときには開放阻止部材を待機位置寄りに移動させた上で開放部材を開けることができる。
【０００９】
請求項２に係る発明は、請求項１記載のパチンコ遊技機において、開閉部材の一つの具体例を提供するものである。すなわち、上記開閉部材は、遊技盤の遊技領域に設けられた大入賞口を開閉するものであり、この大入賞口の開閉部材は、上記所定の条件として遊技中に特定の領域を遊技球が通過したことに基づいて行われる抽選で大当たりになったときに開いて遊技球が大入賞口に入賞し易くなる構成にする。
【００１０】
請求項３に係る発明は、請求項１記載のパチンコ遊技機において、開閉部材の別の具体例などを提供するものである。すなわち、上記遊技盤の遊技領域に、内部に遊技球の進入に基づいて遊技者にとって有利な特別遊技状態を発生させる特別入賞領域を有する入賞役物装置を設ける。そして、上記開閉部材を、この入賞役物装置の内部に遊技球を導く導入口の近傍に設け、この開閉部材が開いたときには遊技球が入賞役物装置の内部に進入し易くなるように構成する。
【００１１】
請求項４に係る発明は、請求項２記載のパチンコ遊技機において、上記遊技盤の遊技領域における、上記開閉部材の上側に遊技盤の表面から突出した突出部を設け、この突出部に、上記開放阻止部材の待機位置として開放阻止部材を収容する収容空間を形成する構成にする。この構成では、大入賞口を開閉する開閉部材の開動作を阻止する開閉阻止部材が、その待機位置として遊技盤の表面から突出した突出部に形成した収容空間内に収容されるように設けられているため、待機位置に位置する開閉阻止部材によって遊技領域での遊技球の落下軌跡に影響が及ぶことは全くない。また、開閉阻止部材が外部に露見しない待機位置と外部に露見する阻止位置との間を移動することに伴う形態の変化に新たな面白味が生じ、遊技性が高められる。
【００１２】
請求項５に係る発明は、請求項４記載のパチンコ遊技機において、上記遊技盤の遊技領域に、図柄の変動などの遊技演出を表示する演出表示部を有する中央役物装置を設けるとともに、この中央役物装置の下側に始動入賞装置を設け、この始動入賞装置に遊技球が入ったとき抽選を行い、その抽選結果に基づいて上記図柄変動表示部で遊技演出を行うように構成する。また、上記中央役物装置を、遊技盤の表面よりも所定寸法突出させて取り付け、この中央役物装置の外側を遊技球が落下するようにし、更に、上記大入賞口を、上記始動入賞装置の下側に設け、上記開放阻止部材を、この始動入賞装置と大入賞口との間で上下方向に移動するように設ける構成にする。この構成では、遊技盤の遊技領域に上側から演出表示部付きの中央役物装置、始動入賞装置及び大入賞口が一列に配置されてなる第１種のパチンコ遊技機において、大入賞口を開閉する開閉部材の開動作を阻止する開閉阻止部材が、始動入賞装置と大入賞口との間で上下移動するように設けられているため、この開閉阻止部材によって遊技領域での遊技球の落下軌跡に影響が及ぶことは殆どなく、遊技に支障を生じることもない。
【００１３】
請求項６に係る発明は、第１種のパチンコ遊技機である請求項５記載のパチンコ遊技機において、開放阻止部材の待機位置として開放阻止部材を収容する収容空間が形成される突出部を特定するものである。すなわち、上記突出部は、上記始動入賞装置のパネル部材であり、この始動入賞装置は、パネル部材によって構成された始動入賞口と、この始動入賞口への遊技球の入賞難易度を変更する可動部材とを有している構成にする。
【００１４】
請求項７に係る発明は、請求項１に係る発明と同じ課題を解決するために、遊技盤の遊技領域の特定個所に開閉部材が設けられ、遊技中に所定の条件が成立したときこの開閉部材が開いて、所定数の遊技球を払い出す入賞の機会が増加するように構成されたパチンコ遊技機において、上記開閉部材に対応して設けられた第２の開閉部材と、この第２の開閉部材が、対応する開閉部材と相反する方向に開閉動作をするように駆動する駆動手段と、上記所定の条件が成立したとき第２の開閉部材が遊技球の入賞に影響しない開位置に移動し、上記所定の条件が成立しないときは第２の開閉部材が遊技球の入賞を阻止する閉位置に居続けるように上記駆動手段を制御する制御手段とを備える構成にする。
【００１５】
この構成では、開閉部材を不正に開けて入賞の機会を増加させるとき、開閉部材を開けるだけでなく、遊技球の侵入を阻止する閉位置に居続ける第２の開閉部材をも開ける必要があるが、この第２の開閉部材は、対応する開閉部材と相反する方向に開閉動作をするように設けられているため、この２つの開閉部材に対し、それぞれゴト行為（つまりゴト部材を遊技盤面にまで侵入させ、ゴト部材の先端を開閉部材に引っ掛けて開放状態にする行為）を行う場合には、少なくとも一方のゴト行為のためにパチンコ遊技機の筐体上部という目立つ位置に穴を開け、更に立ち上がらなければならないなど、目立つことをしなければならない。それ故、ゴト行為が困難なものとなり、その防止化を図ることができる。しかも、上記第２の開閉部材は、対応する開閉部材と同じく遊技盤面上に設けられているため、店員による補償行為などで開閉部材を開ける必要があるときには第２の開閉部材をも開けることができる。
【発明の効果】
【００１６】
以上のように、本発明のパチンコ遊技機によれば、開閉部材の開動作を阻止する開閉阻止部材又は第２の開閉部材を開けるためのゴト部材を用いた不正行為が困難なものとなるため、不正行為の防止化を確実に図ることができる。しかも、上記開閉阻止部材又は第２の開閉部材は、対応する開閉部材と同じく遊技盤の表面上に設けられているため、店員による補償行為などで開閉部材を開ける必要があるときにはこの開閉阻止部材又は第２の開閉部材をも容易に開けることができ、利便性を高めることができる。
【００１７】
特に、請求項４に係る発明では、大入賞口を開閉する開閉部材の開動作を阻止する開閉阻止部材が、その待機位置として遊技盤の表面から突出した突出部に形成した収容空間内に収容されるように設けられているため、待機位置に位置する開閉阻止部材によって遊技領域での遊技球の落下軌跡に影響が及ぶことは全くなく、実施化を図る上でより有利なものである。また、開閉阻止部材が外部に露見しない待機位置と外部に露見する阻止位置との間を移動することに伴う形態の変化に新たな面白味が生じるので、遊技性を高めることができるという効果をも奏する。
【００１８】
請求項５に係る発明では、上記開閉阻止部材が、始動入賞装置と大入賞口との間で上下移動するように設けられているため、この開閉阻止部材によって遊技領域での遊技球の落下軌跡に影響が及ぶことは殆どなく、遊技に支障を生じることもない。
【発明を実施するための最良の形態】
【００１９】
以下、本発明を実施するための最良の形態である実施形態を図面に基づいて説明する。
【００２０】
（第１の実施形態）
図１は第１の実施形態に係るパチンコ遊技機Ａの外観を示す。このパチンコ遊技機Ａは、ホールの遊技島に固定した外枠１と、この外枠１に上側ヒンジ２及び下側ヒンジ３を介して開閉自在に取り付けられた筐体（前枠又は前面枠ともいう）４とを備えてなる。外枠１は、矩形枠状のものであって、本実施形態の場合、その下部枠材１ａのみが正面側に見えるようになっている。
【００２１】
上記筐体４は、遊技球を発射するための球発射装置や遊技盤５などの部品を装備してなり、この筐体４の表面側上部には遊技盤５を覆うガラス扉６が上側ヒンジ７及び下側ヒンジ８を介して開閉自在に取り付けられているとともに、筐体４の表面側下部には上受け皿１１、下受け皿１２、左右一対のスピーカ１３ａ，１３ｂ及び球発射装置の操作部であるハンドル１４などが取り付けられている。ガラス扉６は、中央部に略円形のガラス面６ａを残して正面略全体が演出用ランプを内蔵する装飾パネル６ｂにより覆われてなり、このガラス扉６のガラス面６ａを通して遊技盤５の遊技領域が見えるようになっている。
【００２２】
上記遊技盤５は、図２に示すように、略矩形状の合板などの平板からなり、この遊技盤５の表面には、その遊技領域５ａを囲むようにガイドレール１５が設けられ、遊技盤５の下側に配置される球発射装置（図示せず）から遊技球がガイドレール１５の隙間１６を通して遊技盤５の遊技領域５ａに打ち出されるようになっている。この遊技盤５の遊技領域５ａには、その中央部に中央役物装置１７が設けられているとともに、この中央役物装置１７の下側に始動入賞口１８と始動入賞装置１９と大入賞口２０とアウト口２１とが略一列に並んで設けられている。中央役物装置１７は、その内部に図柄の変動などの遊技演出を表示する液晶表示装置や回転リール装置などからなる演出表示部１７ａを有している。また、中央役物装置１７は、遊技盤５の表面よりも所定寸法突出して取り付けられ、その周縁外側を遊技球が落下するようになっている。この中央役物装置１７の突出高さは、始動入賞口１８及び始動入賞装置１９の突出高さとほぼ同程度に設定されており、中央役物装置１７の表面とその前側のガラス面６ａとの隙間からは遊技球が中央役物装置１７の内部に進入しないようになっている。中央役物装置１７の左側縁部には、中央役物装置１７の内部に導入するための導入口１７ｃが設けられており、この導入口１７ｃから中央役物装置１７の内部に導入された遊技球は、中央役物装置１７の内部に設けたステージ１７ｃ上を転動した後、放出口１７ｄから盤面に放出されるようになっている。始動入賞装置１９は、俗に電動チューリップと呼ばれるもので、遊技盤５の表面よりも所定寸法突出して取り付けられたパネル部材１９ａと、このパネル部材１９ａによって構成された始動入賞口１９ｂと、この始動入賞口１９ｂへの遊技球の入賞難易度を変更する可動部材１９ｃとを有している。
【００２３】
また、上記遊技盤５の遊技領域５ａには、中央役物装置１７の左側に１つのゲート２２が設けられているとともに、図示していないが、適宜個所に普通入賞口、役物及び多数の障害釘がそれぞれ設けられている。そして、遊技領域５ａに打ち出された遊技球が始動入賞口１８又は始動入賞装置１９の始動入賞口１９ｂに入ると賞球として所定数、例えば３個の遊技球の払い出しが行われ、大入賞口２０に入ると所定数、例えば１５個の遊技球の払い出しが、普通入賞口に入ると所定数、例えば１０個の遊技球の払い出しがそれぞれ行われるようになっている。
【００２４】
上記遊技盤５の遊技領域５ａの下部には、図３及び図４に拡大詳示するように、大入賞口２０を開閉する開閉部材２５が設けられている。この開閉部材２５は、図５ないし図７にも示すように、各々下端部に支軸２６を有する左右一対の側板２７ａ，２７ｂと、この両側板２７ａ，２７ｂ間に跨って設けられたハネ板２８とからなり、ハネ板２８が大入賞口２０を塞いで遊技盤５の表面に沿う閉位置と、ハネ板２８が前方上向きに傾斜する開位置との間を支軸２４回りに回動するようになっている。また、この開閉部材２５を開閉する駆動部である大入賞口駆動部３０は、開閉部材２５の一方の側板２７ａに対向して支軸３１回りに揺動可能に支持され、かつ先端が上記側板２７に接触する突出部３２を有する揺動アーム３３と、この揺動アーム３３の突出部３２上に一端が支持され、揺動アーム３３の揺動に伴って上下方向に移動する略Ｌ字形のロック部材３４と、上記揺動アーム３３を、図７の実線で示す状態に保持するためのコイルバネ３５と、このコイルバネ３５の反力に抗して揺動アーム３３を、支軸３１回りに図７の仮想線で示す状態にまで回動させるアクチュエータとしてのソレノイド３６とを備えている。そして、ソレノイド３６が消磁のときには、図７に実線で示すようにロック部材３４のフック部３４ａが開閉部材２５の側板２７ａと係合して開閉部材２５を閉位置に保持し、ソレノイド３６が励磁されたときには、図７に仮想線で示すように揺動アーム３３が支軸３１回りに反時計方向に回動し、ロック部材３４が上方に移動して開閉部材２５の側板２７ａとの係合が解除することにより、開閉部材２５が支軸２６回りに時計方向に回動して開位置に位置するようになる。この状態からソレノイド３６を消磁すると、コイルバネ３５の反力によって揺動アーム３３が支軸３１回りに時計方向に回動し、この回動に伴って揺動アーム３１の突出部３２を介して開閉部材２５の側板２７ａに圧力が作用することにより、開閉部材２５が支軸３１回りに反時計方向に回動して閉位置に位置するようになり、またロック部材３４が下方に移動してそのフック部３４ａが開閉部材２５の側板２７ａと係合し、開閉部材２５が閉位置に保持されることになる。尚、図５中、３７は開閉部材２５の駆動部３０を収容するケーシング、３８はこのケーシング３７に上下方向に貫通して設けられた開口部であり、始動入賞口１８又は始動入賞装置１９に入った遊技球は、この開口部３８を通って回収されるようになっている。また、３９は大入賞口２０の前方を覆って遊技盤５に取り付けられるガード板である。
【００２５】
そして、本実施形態の場合、遊技盤５の遊技領域５ａに打ち出された遊技球が始動入賞口１８又は始動入賞装置１９に入ったときには、上述の如く賞球として所定数の遊技球の払い出しを行うとともに、後述する主制御部５７で乱数抽選（特別図柄抽選）を行い、その抽選に基づいて中央役物装置１７の演出表示部１７ａによる図柄の変動を開始し、抽選結果を演出表示部１７ａの変動停止時の図柄で表示する。特に、抽選で大当たりになると、大入賞口２０の開閉部材２５が所定時間開いて、大入賞口２０に遊技球が入り易くなり、入賞回数が増加して大量の遊技球を獲得できるようになっている。それ故、大入賞口２０の開閉部材２５を不正に開けて大量の遊技球を獲得しようとする不正行為が行われる虞があり、この不正行為を防止するために、上記ガード板３９により大入賞口２０の前方を覆うこと以外に、本発明の特徴点として、遊技領域５ａの開閉部材２５上辺近傍に、開閉部材２５の開動作を阻止するための開放阻止部材としてのガード部材４１が設けられている。尚、遊技盤５の遊技領域５ａに打ち出された遊技球がゲート２２を通過したときには、後述する主制御部５７で乱数抽選（普通図柄抽選）を行い、この抽選で当選すると、始動入賞装置１９の可動部材１９ｃが所定時間開くようになっている。この可動部材１９ｃが開いた場合には、始動入賞装置１９の始動入賞口１９ｂへの遊技球の入賞確率が増加し、打ち出された遊技球当たりの抽選が行われるいわゆる抽選確率が向上する。また、上述の図柄特別抽選で大当たりの中でも特定の大当たりになった場合には、大当たり遊技の後、可動部材１９ｃの開時間を延長した状態が設定され、遊技者にとって有利な状態となる。この状態は、大当たり遊技の終了後、上述の特別図柄抽選が所定回数行われるまで継続される。
【００２６】
上記ガード部材４１は、図３及び図４に示すように、遊技盤５の始動入賞装置１９と大入賞口２０との間に形成した直線状のスリット４２に沿って上下方向に移動可能に設けられ、下限位置である阻止位置では閉状態の開閉部材２５の上辺部と一部オーバーラップして開動作を阻止するようになっている。上記スリット４２の上端は、始動入賞装置１９のパネル部材１９ａに形成した収容空間４３内にまで延長されており、上記ガード部材４１は、その上限位置である待機位置として、この収容空間４３内に収容され、開閉部材２５の開動作を許容するようになっている。このガード部材４１が阻止位置と待機位置との間で移動するように駆動する駆動手段としてのガード部材駆動部４４は、上下方向に所定距離隔てて配置された一対のスプロケット４５，４６と、上側のスプロケット４５を回転駆動する電動モータ４７と、上記両スプロケット４５，４６間に掛け渡されたエンドレスベルト４８と、一端がこのエンドレスベルト４８に連結され、他端が上記ガード部材４１に固定された連結部材４９とを備えている。
【００２７】
図８はパチンコ遊技機Ａの制御系の構成を示し、５１は始動入賞口１８又は始動入賞装置１９（詳しくはその始動入賞口１９ｂ）に遊技球が入ったことを検出する始動口センサ、５２は大入賞口１９に遊技球が入ったことを検出する大入賞口センサ、５３はガード部材４１が阻止位置又は待機位置のいずれに位置するかを検出するガード部材位置センサであり、これら各種センサ５１〜５３の検出信号は、いずれも制御部５５に入力される。
【００２８】
上記制御部５５は、各種センサ５１〜５３の検出信号をＩ／Ｏポート５６を通して受ける主制御部（メイン基板ともいう）５７と、この主制御部５７の制御指令を中継基板５８を介して受ける第１及び第２の副制御部（サブ基板ともいう）５９，６０とを備えている。主制御部５９は、制御主体であるＣＰＵ６１と、プログラム及び固定データなどを格納するＲＯＭ６２と、データの読み書きなどに用いられるＲＡＭ６３とを有し、遊技状況に応じて、ドライバ回路６４を介して始動入賞装置１９の可動部材１９ｃを駆動する入賞装置駆動部６５、大入賞口駆動部３０（詳しくはそのソレノイド３６）及びガード部材駆動部４４（詳しくはその電動モータ４７）に対しそれぞれ動作指令を出力するとともに、副制御部５９，６０に制御指令を出力するようになっている。
【００２９】
上記第１の副制御部５９は、主制御部５７と同じくＣＰＵ６６とＲＯＭ６７とＲＡＭ６８とを有し、主制御部５７の制御指令に基づいて、ドライバ回路６９を介して中央役物装置１７の演出表示部１７ａに動作指令を出力するようになっている。また、上記第２の副制御部６０も、主制御部５７と同じくＣＰＵ７１とＲＯＭ７２とＲＡＭ７３とを有し、主制御部５７の制御指令に基づいて、ドライバ回路７４を介してスピーカ１３ａ，１３ｂ及びガラス扉６の装飾パネル６ｂ内又は遊技盤５上の各種演出ランプ７５に動作指令を出力するようになっている。
【００３０】
上記主制御部５７による制御のうち、特に、始動口センサ５１からの検出信号に基づいて始動入賞口１８又は始動入賞装置１９に遊技球が入ったときの制御は、図９に示すフローチャートに従って行われる。
【００３１】
すなわち、図９において、先ず、ステップＳ１で始動入賞口１８又は始動入賞装置１９に遊技球が入賞したことを確認した後、ステップＳ２で乱数抽選を行い、乱数の読み出しを行う。続いて、ステップＳ３で大当たりか否かを判定し、その判定がＹＥＳの大当たりのときには、ステップＳ４で内部当選フラグに１をセットし、ステップＳ５で大当たり図柄を決定した後、ステップＳ８へ移行する。一方、ステップＳ３の判定がＮＯのときには、ステップＳ６で内部当選フラグに０をセットし、ステップＳ７ではずれ図柄を決定した後、ステップＳ８へ移行する。
【００３２】
ステップＳ８では第１の副制御部５９に対し、大当たり又ははずれの確定図柄を送信する。続いて、ステップＳ９で第１及び第２の副制御部５９，６０に対し共に演出開始のコマンドを送信し、ステップＳ１０で演出時間が経過するのを待った後、ステップＳ１１で第１及び第２の副制御部５９，６０に対し確定図柄などの停止コマンドを送信し、制御を終了する。
【００３３】
また、上記主制御部５７が大当たり時に大入賞口２０の開閉部材２５を一回開閉するときの制御は、図１０に示すフローチャートに従って行われる。
【００３４】
すなわち、図１０において、先ず、ステップＳ２１で遊技中の大当たりにより大入賞口２０の開放指令が出るのを待った後、ステップＳ２２でガード部材位置センサ５３の検出信号に基づいてガード部材４１が待機位置にあるか否かを判定する。この判定がＹＥＳのときには、直ちにステップＳ２４へ移行する一方、判定がＮＯのときには、ステップＳ２３でガード部材駆動部４４に対しガード部材４１を待機位置に移動させるよう作動指令を出力した後、ステップＳ２４へ移行する。
【００３５】
ステップＳ２４では大入賞口駆動部３０に対し大入賞口２０の開閉部材２５を開放するよう作動指令を出力する。その後、ステップＳ２５で所定時間の経過又は大入賞口２０の閉鎖指令を待った後、ステップＳ２６で大入賞口駆動部３０に対し大入賞口２０の開閉部材２５を閉鎖する作動指令を出力し、ステップＳ２７でガード部材駆動部４４に対しガード部材４１を阻止位置に移動させるよう作動指令を出力し、制御を終了する。
【００３６】
次に、上記パチンコ遊技機Ａの作用効果を説明するに、大入賞口２０の開閉部材２５が閉位置に位置して大入賞口２０を閉鎖しているときには、大入賞口２０と始動入賞装置１９との間に移動可能に設けたガード部材４１は、開閉部材２５の開動作を阻止する阻止位置に位置する。このため、開閉部材２５を不正に開けて大量の遊技球を獲得するという不正行為は、開閉部材２５をゴト部材により開けること以外に、筐体４の上部側という目立つ位置に穴を開け、更に立ち上がった状態でこの穴からゴト部材を遊技盤５のガード部材４１の位置にまで侵入させ、ゴト部材の先端をガード部材４１に引っ掛けてガード部材４１を上方の待機位置寄りに移動させる必要があることから、非常に困難でかつ目立ったものとなり、その防止化を図ることができる。その上、ガード部材４１は、中央役物装置１７や始動入賞装置１９など遊技盤５の表面から突出した部材の下方に位置し、これらによって上部からの接触も困難になっているため、不正行為の防止化を一層図ることができる。
【００３７】
また、上記ガード部材４１は、遊技盤５の表面上に設けられているため、店員による補償行為などで開閉部材２５を開ける必要があるときには、ガラス扉６を開けた後、ガード部材４１を待機位置寄りに移動させた上で開放部材２５を開けることができ、利便性を高めることができる。
【００３８】
さらに、上記ガード部材４１は、待機位置として始動入賞装置１９のパネル部材１９ａに形成した収納空間４３内に収容されるようになっており、また阻止位置に位置するときでもこの入賞装置１９の下側近傍に位置するため、このガード部材４１によって遊技領域５ａでの遊技球の落下軌跡に影響が及ぶことは殆どなく、遊技に支障を生じることもない。その上、ガード部材４１が外部に露見しない待機位置と外部に露見する阻止位置との間を移動することに伴う形態の変化に新たな面白味が生じるので、遊技性を高めることもできる。
【００３９】
（第２の実施形態）
図１１及び図１２は本発明の第２の実施形態としてパチンコ遊技機の大入賞口８０の開閉部材８１を開閉する大入賞口駆動部８２及び開閉部材８１の開動作を阻止するためのガード部材８３を移動させるガード部材駆動部８４などの別の形態を示すものである。
【００４０】
すなわち、上記大入賞口８０は、第１の実施形態の場合と同じく、始動入賞装置１９（図２など参照）の下側に設けられており、上記開閉部材８１は、その左右両側辺部の下辺寄りに設けた支軸８５回りに回動可能に支持され、図１１に示す如く略垂直に立って大入賞口８０を塞ぐ閉位置と、図１２に示す如く前方上向きに傾斜する開位置との間を回動するように設けられている。この開閉部材８１を開閉する大入賞口駆動部８２は、アクチュエータとしての電動モータ（図示せず）と、この電動モータの出力軸８６及び上記支軸８５にそれぞれ装着された一対のスプロケット８７，８８と、この両スプロケット８７，８８間に巻き掛けられたエンドレスベルト８９とを備えてなる。
【００４１】
また、上記ガード部材８３は、横方向（左右方向）の寸法が開閉部材８１の横幅寸法よりも若干長い横長矩形状のガード本体８３ａと、このガード本体８３ａの裏面の左右両端にそれぞれ設けられ、遊技盤５に形成したスリット９１，９１に沿って各々上下方向に摺動する左右一対の摺動部８３ｂ，８３ｃとからなり、スリット９１の案内の下にガード本体８３ａの一部（下辺部）が閉状態の開閉部材８１の上辺部とオーバーラップして開閉部材８１の開動作を阻止する阻止位置と、この阻止位置よりも上方で開閉部材８１の開動作を許容する待機位置（始動入賞口１８よりも下側の位置）との間を上下方向に移動可能に設けられている。このガード部材８３が阻止位置と待機位置との間で移動するように駆動する駆動手段としてのガード部材駆動部８４は、ガード部材８３の一方の摺動部８３ｃに形成したラック歯部９２と、上記大入賞口駆動部８２の電動モータの出力軸８６にスプロケット８７と同軸上に装着され、かつ上記ラック歯部９２と噛合するピニオン歯車９３とを備えている。よって、ガード部材駆動部８４と大入賞口駆動部８２とは、アクチュエータとして１つの電動モータを兼用してなる。
【００４２】
従って、上記第２の実施形態においても、大入賞口８０の開閉部材８１が閉位置に位置して大入賞口８０を閉鎖しているときには、大入賞口８０と始動入賞装置１９との間に移動可能に設けたガード部材８３は、開閉部材８１の開動作を阻止する阻止位置に位置する。このため、開閉部材８１を不正に開けて大量の遊技球を獲得するという不正行為は、開閉部材８１をゴト部材により開けること以外に、筐体４（図１参照）の上部側という目立つ位置に穴を開け、更に立ち上がった状態でこの穴からゴト部材を遊技盤５のガード部材８３の位置にまで侵入させ、ゴト部材の先端をガード部材８３に引っ掛けてガード部材８３を上方の待機位置寄りに移動させる必要があることから、非常に困難でかつ目立ったものとなり、その防止化を図ることができる。
【００４３】
しかも、上記ガード部材８３は、遊技盤５の表面上に設けられているため、店員による補償行為などで開閉部材８１を開ける必要があるときには、ガラス扉６（図１参照）を開けた後、ガード部材８３を待機位置寄りに移動させた上で開放部材８１を開けることができ、利便性を高めることができる。
【００４４】
その上、上記開閉部材８１を開閉する大入賞口駆動部８２と、上記ガード部材８３を阻止位置と待機位置との間で移動させるガード部材駆動部８３とは、１つの電動モータをアクチュエータとして兼用してなるため、部品点数がその分少なくて済み、コスト面や組立性などの面から実施化を図る上で有利である。
【００４５】
（第３の実施形態）
図１３は本発明の第３の実施形態としてパチンコ遊技機の大入賞口付近の構造を示す。図１３において、１００は遊技盤５の遊技領域の特定個所に設けられた大入賞口装置であって、この大入賞口装置１００は、遊技盤５の表面側に面して大入賞口１０１を有し、遊技中に遊技盤５の遊技領域に打ち出された遊技球がこの大入賞口１０１に入ると入賞として所定数の遊技球が払い出されるようになっている。
【００４６】
上記大入賞口１０１には、遊技球の入賞を促したり阻んだりするための開閉部材１０２がその左右両側辺部の下辺寄りに設けた支軸１０３回りに回動可能に支持されており、この開閉部材１０２は、大入賞口装置１００に設けた第１の駆動部（図示せず）により、図１３に実線で示す如く略垂直に立って大入賞口１０１への遊技球の入賞を阻む閉位置と、図１３に仮想線で示す如く前方上向きに傾斜して遊技球の入賞を促す開位置との間で回動するように設けられている。また、開閉部材１０２は、遊技中に所定の条件が成立したとき、例えば始動入賞口１８又はゲート２２（共に図２参照）に遊技球が入り又は通過したときに所定時間開いて、遊技球が大入賞口１０１に入って入賞し易くなるように設けられている。
【００４７】
上記開閉部材１０２が不正に開かれるのを防止するために、遊技盤５の表面側には、上記大入賞口装置１００の大入賞口１０１の前方を覆うガード板１０４が設けられているとともに、大入賞口装置１００の大入賞口１０１には、上記開閉部材１０２に対応して第２の開閉部材１０５が設けられている。この第２の開閉部材１０５は、その左右両側辺部の上辺寄りに設けた支軸１０６回りに回動可能に支持されて、対応する開閉部材１０２と相反する方向に開閉動作をするように、つまり図１３に実線で示す如き略垂直に垂下する閉位置と、図１３に仮想線で示す如き内側（後方）に傾斜する開位置との間で回動するように設けられている。また、第２の開閉部材１０５は、上記第１の駆動部とは別の第２の駆動部（図示せず）によって駆動され、上記開閉部材１０２が開くための所定の条件が成立するとき遊技球の進入に影響しないよう開位置に移動し、上記所定の条件が成立しないときは遊技球の進入を阻止するよう閉位置に居続けるように設けられている。
【００４８】
従って、上記第３の実施形態においては、大入賞口装置１００の開閉部材１０２を不正に開けて大入賞口１０１への入賞回数を増加させるためには、開閉部材１０２をゴト部材により開けるだけでなく、第２の開閉部材１０５をも別のゴト部材により開ける必要がある。しかも、第２の開閉部材１０５は、対応する開閉部材１０２と相反する方向に開閉動作をするように設けられているため、この２つの開閉部材１０２，１０５に対し、それぞれゴト部材により開けることは非常に困難か、あるいは立ち上がるなど目立つ行為が必要になることから実質上できなくなり、その防止化を図ることができる。
【００４９】
また、上記第２の開閉部材１０５は、対応する開閉部材１０２と同じく遊技盤５の表面側に設けられているため、店員による補償行為などで開閉部材１０２を開ける必要があるときには、ガラス扉６（図１参照）を開けた後、両開閉部材１０２，１０５を共に開けることができ、利便性を高めることができる。
【００５０】
（第４の実施形態）
図１４は本発明の第４の実施形態に係るパチンコ遊技機の遊技盤の構成を示す。この第４の実施形態の場合、遊技盤５の遊技領域５ａの中央部に、第１の実施形態の如き中央役物装置１７の代わりに、入賞役物装置１１１が設けられている。この入賞役物装置１１１は、その中央部に奥側に凹んだ略矩形状の凹部からなる内部空間１１２を有し、また、図１５及び図１６にも示すように、この内部空間１１２を囲むように一部（後述する導入口１２２）を除いて略環状でかつ前方に突出した外縁突出部１１２ａを有し、この外縁突出部１１２ａとその前側のガラスとの隙間からは遊技球が入賞役物装置１１１の内部空間１１２に進入しないようになっている。また、内部空間１１２の奥壁には液晶表示装置や回転リール装置などからなる図柄変動装置１１３が設けられ、演出表示などを行い得るようになっている。
【００５１】
上記入賞役物装置１１１には、その外縁突出部１１２ａの左側部分を一部切り欠いてなる導入口１２２が設けられているとともに、この導入口１２２を開閉する開閉部材１２３が設けられている。この開閉部材１２３は、その下端側の支軸１２４回りに回動可能に支持されているとともに、第１の駆動部（図示せず）により駆動されて回動するように設けられている。そして、開閉部材１２３は、通常、導入口１２２を閉じる閉状態にあり、遊技中に所定の条件が成立したとき、例えば後述する抽選により所定の賞に当選したとき、図１５及び図１６に仮想線で示す如く開いて、遊技領域５ａに打ち出された遊技球が導入口１２２を通して入賞役物装置１１１の内部空間１１２側に進入し易くなっている。また、導入口１２２を通して進入した遊技球は、内部空間１１２の下面壁に形成した転動通路１１２ｂ上を転動し、同じく下壁面に設けた特別入賞領域としての特定入賞口（一般的にはＶ入賞口という）１１４又は外れ穴１１５に振り分けられるようになっている。転動通路１１２ｂは、図示していないが、中央の特定入賞口１１４に向けて若干下り傾斜している。
【００５２】
上記遊技盤５の遊技領域５ａには、上記入賞役物装置の中央の略真下に始動入賞口１１６が設けられているとともに、この始動入賞口１１６の下側に始動入賞装置１１７と大入賞口１１８とアウト口１１９とが略一列に並んで設けられている。始動入賞口１１７は、パネル部材１１７ａによって構成された始動入賞口１１７ｂと、この始動入賞口１１７ｂへの遊技球の入賞難易度を変更する可動部材１１７ｃとを有しており、大入賞口１１８は、開閉部材１２０により開閉されるようになっている。また、遊技盤５の遊技領域５ａには、入賞役物装置１１１の左側に１つのゲート１２１が設けられているとともに、図示していないが、適宜個所に普通入賞口、役物及び多数の障害釘がそれぞれ設けられている。そして、遊技領域５ａに打ち出された遊技球が始動入賞口１１６又は始動入賞装置１１７に入ると賞球として所定数、例えば３個の遊技球の払い出しが行われ、大入賞口１１８に入ると所定数、例えば１５個の遊技球の払い出しが、普通入賞口に入ると所定数、例えば１０個の遊技球の払い出しがそれぞれ行われるようになっている。また、導入口１２２を通して入賞役物装置１１１の内部空間１１２側に遊技球が進入すると賞球として所定数、例えば３個の遊技球の払い出しが行われ、更に、入賞役物装置１１１の内部空間１１２側に進入した遊技球が特定入賞口１１４に入ると、大入賞口１１８の開閉部材１２０を所定回数開閉する特別遊技（詳しくは後述する第２の特別遊技）が行われるようになっている。
【００５３】
そして、本実施形態の場合、入賞役物装置１１１の導入口１２２に設けた開閉部材１２３が開状態のときには遊技盤５の遊技領域５ａに打ち出された遊技球が開閉部材１２３によって導入口１２２を通して入賞役物装置１１１の内部空間１１２側に進入し易くなり、特定入賞口１１４への遊技球の入賞回数などが増加して大量の遊技球を獲得する可能性が高くなること（詳細は後述する）から、上記開閉部材１２３を不正に開けようとする不正行為が行われる虞があり、この不正行為を防止するために、本発明の特徴点として、入賞役物装置１１１の導入口１２２に、上記開閉部材１２３に対応して、第２の開閉部材１２５が設けられている。
【００５４】
上記第２の開閉部材１２５は、その上端側の支軸１２６回りに回動可能に支持されて、対応する開閉部材１２３と相反する方向に開閉動作をするように、つまり図１５及び図１
６に実線で示す如き略垂直に垂下する閉位置と、図１５及び図１６に仮想線で示す如き内側に傾斜する開位置との間で回動するように設けられている。また、第２の開閉部材１２５は、上記第１の駆動部とは別の第２の駆動部（図示せず）によって駆動され、上記開閉部材１２０が開くための所定の条件が成立するとき遊技球の進入に影響しないよう開位置に移動し、上記所定の条件が成立しないときは遊技球の進入を阻止するよう閉位置に居続けるように設けられている。第１及び第２の駆動部は、図示していないが、遊技機の主制御部によって制御される。尚、パチンコ遊技機の遊技盤５のその他の構成は、第１の実施形態の場合のそれと同じであり、同一の部品や部位などには同一符号を付してその説明は省略する。
【００５５】
本実施形態の場合、遊技機の遊技制御（つまり主制御部の制御内容）は以下のように行われる。先ず、遊技領域５ａに打ち出された遊技球が始動入賞口１１６又は始動入賞装置１１７に入ると、上述の如く遊技球の払い出しを行うとともに、主制御部５７（図８参照）で乱数を取得し、取得した乱数と判定テーブルを用いて順次抽選処理（特別図柄抽選）を行う。取得した乱数は所定数、例えば４個まで記憶可能になっている。この特別図柄抽選の結果は、図柄変動装置１１３とは別に設けられる抽選結果表示装置としての特別図柄表示装置（図示せず）により表示される。この特別図柄表示装置による表示は、取得した乱数を判定してから、所定時間（特別図柄変動時間）後に停止表示される。その後、次の乱数の判定が行われる。このため、最初の乱数の判定より後で停止表示が行われる前に始動入賞口１１６又は始動入賞装置１１７に入った遊技球に基づく乱数は、主制御部５７にて上述の如く記憶される（保留数処理）。一方、図柄変動装置１１３では、この抽選結果に基づいて演出図柄の変動など、各種演出表示が行われる。この抽選は、少なくとも大当たり、小当たり、はずれを含み、それらの確率は、それぞれ例えば１／２００、１９７／２００、２／２００などに設定されており、高確率で小当たりが当選するようになっている。
【００５６】
抽選が大当たりになったときには、大入賞口１１８の開閉部材１２０を所定回数、例えば１５回開閉する第１の特別遊技が行われる。また、抽選が小当たりになったときには、入賞役物装置１１１の開閉部材１２３を所定回数、例えば１回又は２回開放する。１回開放する場合には、開閉部材１２３は通常の閉状態から開状態に変化し、その後、第２の開閉部材１２５が閉状態から開状態になる。開閉部材１２３と第２の開閉部材１２５は、そのまま１．８秒間開状態を維持した後、先ず、開閉部材１２３が閉状態になり、続いて第２の開閉部材１２５が閉状態になる。２回開放する場合には、開閉部材１２３は、通常の閉状態から開状態に変化し、その後、第２の開閉部材１２５が閉状態から開状態になる。開閉部材１２３と第２の開閉部材１２５は、そのまま０．９秒間開状態を維持した後、先ず、開閉部材１２３が閉状態になり、続いて第２の開閉部材１２５が閉状態になる。引き続き、閉状態を１．０秒間維持した後、上述した開閉部材１２３及び第２の開閉部材１２５の開閉動作順に従って開状態に変化し、そのまま０．９秒間開状態を維持した後、再度閉状態に復帰して作動を終了する。これらの開放動作中は、導入口１２２から入賞役物装置１１１の内部空間１１２側に遊技球が進入し易くなるため、理論上の打ち出された遊技球の総個数に対する入賞役物装置１１１の内部空間１１２側へ進入した遊技球の個数の割合が高くなり、それに伴って、遊技球が特定入賞口１１４に入る確率も上昇する。
【００５７】
小当たりに基づく開放動作中に遊技球が特定入賞口１１４に入ったときには、大入賞口１１８の開閉部材１２０を所定回数、例えば１回、７回又は１４回のいずれかの回数だけ開閉する第２の特別遊技が行われる。この第２の特別遊技における大入賞口１１８の開閉部材１２０の開放回数は、本実施形態の場合、小当たりになった抽選時に１回、７回又は１４回のいずれかの開放回数に該当する小当たりを引いたかによって決定されるようになっている。つまり、上記抽選の小当たりにおいては、開閉部材１２０の開放中に特定入賞口１１４に入球した場合に開放を何回行うかが定められている。これにより、図柄変動装置１１３を用いて、第２の特別遊技における開放回数を事前に予告する演出を行うことができるようになっている。尚、上述の如く小当たり時に第２の特別遊技の開放回数を同時に決定することに代えて、小当たり時には開放回数を決定せず、入賞役物装置１１１の内部に開放回数を抽選するためのクルーンなどの振り分け役物を設け、あるいは特定入賞口１１４に入球したタイミングで抽選を行って開放回数を決定しても良い。
【００５８】
また、遊技盤５の遊技領域５ａに打ち出された遊技球がゲート１２１を通過したときには、主制御部５７で乱数抽選（普通図柄抽選）を行い、この抽選で当選すると始動入賞装置１１７の可動部材１１７ｃを所定時間開放する。この可動部材１１７ｃが開放状態にある場合、始動入賞装置１１７への遊技球の入賞確率が増加し、打ち出された遊技球当たりの抽選が行われる確率（抽選確率）が向上する。更に、上述した特別図柄抽選で大当たりになったときに大当たりの中でも特定の大当たりの場合には、大当たり遊技の後、可動部材１１７ｃの開放時間を延長した状態が設定され、遊技者にとって有利な状態になる。この状態は、大当たり遊技の終了後、特別図柄抽選が所定回数行われるまで継続される。
【００５９】
そして、本実施形態の場合、上述の如く特別図柄抽選における小当たりの確率が高く設定されているため、入賞役物装置１１１の導入口１２２に設けた開閉部材１２３及び第２の開閉部材１２５は頻繁に開閉することになる。そこで、上述した特別図柄変動時間及び開閉部材１２３の開放時間を適切に調整することによって、開放状態の頻度を一定に調整し、これにより、上記特定入賞口１１４への入賞確率ひいては遊技機としての出玉性能を一定に保持している。しかるに、上記開閉部材１２２を不正に開放し、その状態を保持した場合には、入賞役物装置１１１の内部空間１１２側への遊技球の進入が異常に高くなり、特定入賞口１１４への遊技球の入賞回数が増加し、また特別遊技状態が発生することにより、大量の遊技球が不正に獲得される可能性がある。このことが上述した開閉部材１２３の不正開放を防止するための理由である。
【００６０】
従って、上記第４の実施形態においては、入賞役物装置１１１の導入口１２２に設けた開閉部材１２３の不正開放を防止するために、上記導入口１２２に、開閉部材１２３に対応して、第２の開閉部材１２５が設けられているので、遊技領域５ａに打ち出された遊技球が導入口１２２を通して入賞役物装置１１１の内部空間１１２側へ進入し易くするためには、開閉部材１２３をゴト部材により開けるだけでなく、第２の開閉部材１２５をも別のゴト部材により開ける必要がある。しかも、第２の開閉部材１２５は、対応する開閉部材１２３と相反する方向に開閉動作をするように設けられているため、この２つの開閉部材１２３，１２５に対し、それぞれゴト部材により開けることは非常に困難か、あるいは立ち上がるなど目立つ行為が必要になることから実質上できなくなり、その防止化を図ることができる。
【００６１】
また、ガラス扉６のガラス面６ａ（共に図１参照）の上から開閉部材１２３を押圧する不正行為に対してもその防止化を図ることができるという効果がある。つまり、開閉部材１２３のみを押圧するには、１点のみをガラス面６ａの上から押圧するのみで済むが、第２の開閉部材１２５をも同時に開状態に維持するためには、異なる２点を強い力で押圧する必要が生じ、このような行為をガラスの破壊を伴わずに行うことは困難だからである。
【００６２】
さらに、上記第２の開閉部材１２５は、対応する開閉部材１２３と同じく入賞役物装置１１１の表面側つまり遊技盤５の表面側に設けられているため、店員による補償行為などで開閉部材１２３を開ける必要があるときには、ガラス扉６を開けた後、両開閉部材１２３，１２５を共に開けることができ、利便性を高めることができる。
【００６３】
（第５の実施形態）
図１７は本発明の第５の実施形態に係るパチンコ遊技機の遊技盤の構成を示す。この第５の実施形態の場合、遊技盤５の基本的構成は、第４の実施形態の場合のそれと同じであるが、不正行為の防止策として、第４の実施形態の場合と同じく入賞役物装置１１１の導入口１２２に、開閉部材１２３に対応して第２の開閉部材１２５が設けられているだけでなく、遊技領域５ａの始動入賞口１１６と大入賞口１１８との間に、大入賞口１１８の開閉部材１２０が不正に開かれるときその開動作を阻止するための開放阻止部材としてのガード部材１３１が設けられている。
【００６４】
上記ガード部材１３１は、第１の実施形態の場合のガード部材４１と同じく、遊技領域５ａの始動入賞装置１１７と大入賞口１１８との間に形成した直線状のスリット１３２に沿って上下方向に移動可能に設けられ、下限位置である阻止位置では閉状態の開閉部材１２０の上辺部と一部オーバーラップしてその開動作を阻止し、上限位置である待機位置として、始動入賞装置１１７のパネル部材１１７ａに形成した収容空間（図示せず）内に収容され、開閉部材１２０の開動作を許容するようになっている。尚、遊技盤５のその他の構成は、第４の実施形態の場合のそれと同じであり、同一の部品や部位などには同一符号を付してその説明は省略する。
【００６５】
従って、上記第５の実施形態においては、不正行為の防止策として、第１の実施形態の構成による防止策を、第４の実施形態の構成に加えて、その大入賞口１１８に対して用いているため、入賞役物装置１１１に対して行われる不正に特別遊技状態を発生させる不正行為だけでなく、直接大入賞口１１８を狙って行われる不正行為をも防止することができる。この実施形態は、賞球の多い大入賞口１１８及び特定入賞口１１４の両方に対し共に不正行為の防止策を施すことができるので、好ましいものである。
【００６６】
尚、本発明は上記第１ないし第５の実施形態に限定されるものではなく、その他種々の形態を包含するものである。例えば上記第１及び第５の実施形態では、いずれも遊技領域５ａの始動入賞装置１９，１１７と大入賞口２０，１１８との間に、大入賞口２０，１１８の開閉部材２５，１２０の不正開放を阻止するための開放阻止部材としてのガード部材４１，１３１を設けるに当たり、始動入賞装置１９，１１７のパネル部材１９ａ，１１７ａに収容空間４３を形成し、この収容空間４３内をガード部材４１，１３１の待機位置とするように構成したが、本発明は、ガード部材４１，１３１を必ずしも収容空間内に収容する必要はないのは勿論である。
【００６７】
また、本発明は、上述の如く始動入賞装置１９，１１７のパネル部材１９ａ，１１７ａに収容空間４３を形成することに限らず、大入賞口２０，１１８の直上に遊技盤５の表面より突出した突出部がある場合、例えば中央役物装置１７の下部が大入賞口２０の上側近傍にまで延びている場合、この中央役物装置の下部に収容空間を形成し、この収容空間内にガード部材を収容するように構成してもよい。
【００６８】
さらに、上記各実施形態では、いずれも大入賞口２０，８０，１０１，１１８の開閉部材２５，８１，１０２，１２０又は入賞役物装置１１１の導入口１２２の開閉部材１２３が不正に開放されるのを防止するための防止策について述べたが、本発明は、これに限らず、例えば始動入賞装置１９，１１７の可動部材１９ｃ、１１７ｃに対しても、第１実施形態における大入賞口２０の場合と同様な開放阻止部材を設けてもよい。この場合、始動入賞装置１９，１１７の上側に位置する始動入賞口１８，１１６の構成部材に収容空間を形成し、この収容空間内に開放阻止部材をその待機位置として収容するように構成することが好ましい。
【００６９】
また、上記第４の実施形態では、小当たりに基づく開放動作中に遊技球が特定入賞口１１４に入ったとき、大入賞口１１８の開閉部材１２０を所定回数だけ開閉する第２の特別遊技を行うパチンコ遊技機について述べたが、本発明は、これに限らず、例えば上記第２の特別遊技状態のとき大入賞口１１８の開閉部材１２０の開閉回数が特定入賞口１１４への遊技球の入賞によって更新されるタイプのパチンコ遊技機にも適用することができ、不正防止対策として有効である。つまり、このタイプのパチンコ遊技機では、入賞役物装置１１１の導入口１２２の開閉部材１２３が一回の開放動作中に遊技球が特定入賞口１１４に入ることによって、次回の開放動作が行われることが決定する。それ故、開閉部材１２３の開放中に押圧により開放状態に開閉部材１２３を固定し、特定入賞口１１４への入球を図る不正行為が行われる可能性があり、この不正行為を防止するためである。
【００７０】
加えて、上記各実施形態では、いずれも遊技盤５の遊技領域５ａの中央部に、中央役物装置１７又は入賞役物装置１１１が設けられ、その下側に始動入賞口１８，１１６と始動入賞装置１９，１１７と大入賞口２０，１１８とアウト口２１，１１９とが一列に設けられたパチンコ遊技機について述べたが、本発明は、このようなパチンコ遊技機に限らず、遊技盤の遊技領域に設けた開閉部材が開いたとき所定数の遊技球を払い出す入賞の機会が増加するように構成されたパチンコ遊技機に広く適用することができる。
【図面の簡単な説明】
【００７１】
【図１】本発明の第１の実施形態に係るパチンコ遊技機の外観を示す正面図である。
【図２】上記パチンコ遊技機の遊技盤の構成を示す正面図である。
【図３】図２の大入賞口付近をその開閉部材が開いた状態で示す拡大図である。
【図４】図３のＸ−Ｘ線における断面図である。
【図５】大入賞口装置の斜視図である。
【図６】同装置の駆動部の斜視図である。
【図７】同側面図である。
【図８】上記パチンコ遊技機の制御系のブロック構成図である。
【図９】始動入賞口に遊技球が入ったときの制御内容を示すフローチャート図である。
【図１０】大入賞口の開閉部材を一回開閉するときの制御内容を示すフローチャート図である。
【図１１】第２の実施形態に係るパチンコ遊技機の大入賞口駆動部及びガード部材駆動部などの構成を示し、（ａ）は大入賞口の開閉部材が開いた状態の正面図、（ｂ）は（ａ）のＹ−Ｙ線における断面図である。
【図１２】（ａ）は同じく大入賞口の開閉部材が閉じた状態の正面図、（ｂ）は（ａ）のＺ−Ｚ線における断面図である。
【図１３】第３の実施形態に係るパチンコ遊技機の大入賞口付近の縦断面図である。
【図１４】第４の実施形態を示す図２相当図である。
【図１５】入賞役物装置の装飾パネルなどを取り外した状態の正面図である。
【図１６】同斜視図である。
【図１７】第５の実施形態を示す図２相当図である。
【符号の説明】
【００７２】
Ａ    パチンコ遊技機
５    遊技盤
５ａ  遊技領域
１７    中央役物装置
１７ａ  演出表示部
１９，１１７    始動入賞装置
１９ａ，１１７ａ    パネル部材（突出部）
１９ｂ，１１７ｂ    始動入賞口
１９ｃ，１１７ｃ    可動部材
２０，８０，１０１，１１８    大入賞口
２５，８１，１０２，１２０，１２３    開閉部材
３０，８２    大入賞口駆動部
４１，８３，１３１    ガード部材（開放阻止部材）
４３    収容空間
４４，８４    ガード部材駆動部（駆動手段）
５７    主制御部（制御手段）
１００    大入賞口装置
１０５，１２５    第２の開閉部材
１１１    入賞役物装置
１１４    特定入賞口（特定入賞領域）
１２２    導入口
【図１】
2008295676.tif 000003
【図２】
2008295676.tif 000004
【図３】
2008295676.tif 000005
【図４】
2008295676.tif 000006
【図５】
2008295676.tif 000007
【図６】
2008295676.tif 000008
【図７】
2008295676.tif 000009
【図８】
2008295676.tif 000010
【図９】
2008295676.tif 000011
【図１０】
2008295676.tif 000012
【図１１】
2008295676.tif 000013
【図１２】
2008295676.tif 000014
【図１３】
2008295676.tif 000015
【図１４】
2008295676.tif 000016
【図１５】
2008295676.tif 000017
【図１６】
2008295676.tif 000018
【図１７】
2008295676.tif 000019